(57)【要約】【課題】本発明はストロボ装置の発光部のバウンス角度を正確に位置設定できるストロボ用スタンドおよびストロボ装置を得る。【解決手段】ストロボ本体部１５と、前記ストロボ本体部１５に連結され、閃光放電管１７が収納されて外部へ発光する発光筺体部１６とを備えるストロボ装置１４を、接地面Ｂに設置するストロボ用スタンド１であって、前記接地面Ｂに対して、内部に形成される吸着面１１が対向するように、前記ストロボ用スタンド１の前記接地面Ｂ側に吸着盤９を設ける。【選択図】図１
2013178355.tif 000002
【特許請求の範囲】
【請求項１】
ストロボ本体部と、前記ストロボ本体部に連結され、閃光放電管が収納されて外部へ発光する発光筺体部とを備えるストロボ装置を、接地面に設置するストロボ用スタンドであって、
前記接地面に対して、内部に形成される吸着面が対向するように、前記ストロボ用スタンドの前記接地面側に吸着盤を設けることを特徴とするストロボ用スタンド。
【請求項２】
前記ストロボ装置は、前記発光筺体部を水平方向および垂直方向に回動させるバウンス機構と、前記バウンス機構に連結し、前記水平方向および垂直方向に前記発光筺体部を移動させる駆動手段とを備えることを特徴とする請求項１に記載のストロボ用スタンド。
【請求項３】
前記吸着盤は、前記発光筺体部が水平方向に回動するときの中心軸に対して周方向に複数個設けられることを特徴とする請求項２に記載のストロボ用スタンド。
【請求項４】
前記吸着盤は、前記発光筺体部が水平方向に回動する時の、前記発光筺体部の重心位置の回動軌跡よりも外側に設けられることを特徴とする請求項２又は請求項３に記載のストロボ用スタンド。
【請求項５】
前記発光筺体部が水平方向に回動するときの中心軸と、前記吸着盤との間に配置され、かつ、前記吸着盤が押圧されることによって前記接地面に当接し、さらなる押圧によって、その厚さが少なくなる方向に変形した後、前記吸着盤が前記接地面に密着する肉厚を有する防振シートを備えることを特徴とする請求項２〜請求項４のいずれか１項に記載のストロボ用スタンド。
【請求項６】
前記防振シートは、前記発光筺体部が水平方向に回動するときの中心軸に対して、周方向に複数個又は環状に設けられることを特徴とする請求項５記載のストロボ用スタンド。
【請求項７】
ストロボ本体部と、前記ストロボ本体部に連結され、閃光放電管が収納されて外部へ発光する発光筺体部と、前記発光筺体部を水平方向および垂直方向に回動させるバウンス機構と、前記バウンス機構に連結し、前記水平方向および垂直方向に発光筺体部を移動させる駆動手段とを有し、さらに、前記請求項１〜６のいずれか１に記載のストロボ用スタンドを備えることを特徴とするストロボ装置。
【発明の詳細な説明】
【技術分野】
【０００１】
本発明は、閃光放電管が発光する照射範囲を制御するように構成したストロボ用スタンド及びストロボ装置に関する。
【背景技術】
【０００２】
従来、撮影用途を広げるため、ワイヤレス使用が可能な簡易なストロボ用スタンドがある（例えば、特許文献１参照）。前記ストロボ用スタンドは、１枚の平板状のプレート部材で構成され、前記プレート部材の底面には、正三角形の３つの頂点に、それぞれの先端部が位置するように３つの支持脚が配置されている。また、支持脚部の先端部の底面には、ゴム製の滑り止め部材が固着されている。
【先行技術文献】
【特許文献】
【０００３】
【特許文献１】実開平４−１３０９３７号公報
【発明の概要】
【発明が解決しようとする課題】
【０００４】
しかし、特許文献１に記載されているストロボ用スタンドは、接地面に対して密着するような手段がないため、ストロボ装置の発光部をバウンスさせた場合に、初期設置位置からずれてしまう。
【０００５】
一方、ストロボ用スタンドに装着されるストロボ装置は、撮影意図により照射角度を所定の角度に移動させてバウンスできる構成にはなっているが、バウンス位置は手動で行うため、撮影テンポが悪くなってシャッターチャンスを逃すことがあったり、振動・揺れの影響で設置位置から動いてしまい安定した配光特性を得ることができなかったりすることがある。
【０００６】
本発明は、かかる事情に鑑み、ストロボ装置の発光部のバウンス角度を正確に位置設定できるストロボ用スタンド及びストロボ装置を提供することを目的とする。
【課題を解決するための手段】
【０００７】
本発明のストロボ用スタンドは、ストロボ本体部と、前記ストロボ本体部に連結され、発光部が収納されて外部へ発光する発光筺体部とを備えるストロボ装置を、接地面に設置するストロボ用スタンドであって、前記接地面に対して、内部に形成される吸着面が対向するように、前記ストロボ用スタンドの前記接地面側に吸着盤を設けることを特徴とする。
【０００８】
かかる構成によれば、吸着盤が接地面に密着することによって、ストロボ装置が、初期設置位置に固定されるとともに、この初期設置位置からずれることがなく、安定した配光特性を得ることができる。
【０００９】
また、ストロボ用スタンドを、平面か緩やかな傾斜面にしか設置できなかったが、これ以外の場所にも設置することができる。
【００１０】
前記ストロボ装置は、前記発光筺体部を水平方向および垂直方向に回動させるバウンス機構と、前記バウンス機構に連結し、前記水平方向および垂直方向に前記発光筺体部を移動させる駆動手段とを備えることが好ましい。
【００１１】
かかる構成によれば、発光筺体部を水平方向および垂直方向に安定した状態で回動させることができる。また、吸着盤によって、バウンス角度を正確な位置に設定することができる。
【００１２】
前記吸着盤は、前記発光筺体部が水平方向に回動するときの中心軸に対して周方向に複数個設けられることが好ましい。
【００１３】
かかる構成によれば、発光筺体部が水平方向に回動する際に発生する遠心力を抑制することができ、その結果、発光筺体部のバウンス角度を正確な位置に設定することができる。
【００１４】
前記吸着盤は、前記発光筺体部が水平方向に回動する時の、前記発光筺体部の重心位置の回動軌跡よりも外側に設けられることが好ましい、
かかる構成によれば、発光筺体部が水平方向および垂直方向に回動することで、発光筺体部の重心位置が変わっても、発光筺体部の重心位置の回動軌跡よりも外側に設けられた吸着盤によって、発光筺体部の重量を受けることができ、発光筺体部を安定した状態で支持できる。したがって、発光筺体部のバウンス角度を正確な位置に設定することができる。
【００１５】
前記発光筺体部が水平方向に回動するときの中心軸と、前記吸着盤との間に配置され、かつ、前記吸着盤が押圧されることによって前記接地面に当接し、さらなる押圧によって、その厚さが少なくなる方向に変形した後、前記吸着盤が前記接地面に密着する肉厚を有する防振シートを備えることが好ましい。
【００１６】
吸着盤の吸着作用および防振シートの防振作用によって、発光筺体部が水平方向および垂直方向に回動しても、接地面に対してストロボが移動することがなく、発光筺体部のバウンス角度の位置精度をさらに向上することができる。
【００１７】
前記防振シートは、前記発光筺体部が水平方向に回動するときの中心軸に対して、周方向に複数個又は環状に設けられることが好ましい。
【００１８】
かかる構成によれば、発光筺体部が水平方向に回動しても、接地面に対して、ストロボが移動するのを防止することができ、発光筺体部のバウンス角度の位置精度をさらに向上することができる。
【００１９】
ストロボ本体部と、前記ストロボ本体部に連結され、発光部が収納されて外部へ発光する発光筺体部と、前記発光筺体部を水平方向および垂直方向に回動させるバウンス機構と、前記バウンス機構に連結し、前記水平方向および垂直方向に発光筺体部を移動させる駆動手段とを有し、さらに、前記いずれかのストロボ用スタンドを備えることを特徴とする。
【００２０】
かかる構成によれば、撮影意図により照射角度を自動的に所定の角度に移動させてバウンスできるので、シャッターチャンスを逃がすことがない。また、スタンドの設置位置が安定しているので、良好の配光特性が得られる。
【発明の効果】
【００２１】
本発明のストロボ用スタンド及びストロボ装置によれば、接地面に対して、内部に形成される吸着面が対向するように、ストロボ用スタンドの前記接地面側に吸着盤を設けるようにしたので、発光部が収納されて外部へ発光する発光筺体部を正確な設置位置に設定できる。
【図面の簡単な説明】
【００２２】
【図１】（ａ）本発明の第１実施形態に係るストロボ装置の正面図、（ｂ）ストロボ装置の側面図
【図２】同実施形態に係るストロボ装置の底面図
【図３】（ａ）同実施形態に係るストロボ用スタンドの平面図、（ｂ）同実施形態に係るストロボ用スタンドの側面図、（ｃ）同実施形態に係るストロボ用スタンドの底面図
【図４】（ａ）発光筺体部を垂直方向にバウンスさせた状態を示す概略図、（ｂ）同実施形態に係るストロボ装置の発光筺体部を水平方向にバウンスさせた状態を示す概略図
【図５】（ａ）同実施形態に係るストロボ用スタンドの吸着盤の吸着前の状態を示す図、（ｂ）吸着盤の吸着状態を示す図
【図６】（ａ）本発明の第２実施形態に係るストロボ装置の正面図、（ｂ）ストロボ装置の側面図
【図７】同実施形態に係るストロボ用スタンドの底面図
【図８】（ａ）同実施形態に係るストロボ用スタンドの平面図、（ｂ）同実施形態に係るストロボ用スタンドの側面図、（ｃ）同実施形態に係るストロボ用スタンドの底面図
【図９】（ａ）同実施形態に係るストロボ用スタンドの吸着盤および防振シートが接地面に設置される前の状態を示す図、（ｂ）吸着盤が押圧されて防振シートが接地面に当接する状態を示す図、（ｃ）吸着盤へのさらなる押圧によって防振シートが変形する状態を示す図、（ｄ）防振シートが変形した後、吸着盤が接地面に吸着する状態を示す図
【図１０】吸着盤の変形例を示す図
【図１１】（ａ）ストラップが取り付けられたストロボ装置の斜視図、（ｂ）バンドが取り付けられたストロボ装置の斜視図
【発明を実施するための形態】
【００２３】
本発明の第１実施形態に係るストロボ用スタンドおよびストロボ装置について、図１（ａ），（ｂ）〜図５（ａ），（ｂ）を参酌しつつ、説明する。同実施形態に係るストロボ用スタンド１は、図１（ａ），（ｂ）〜図３（ａ）〜（ｃ）に示すように、略平板状の基板２と、前記基板２の前後左右に配置される脚部６と、複数の脚部６それぞれに配置される吸着盤９とを備えている。
【００２４】
基板２は、図３（ａ），（ｂ）に示すように、その上面後部に、上方に向かって突設されたストロボ装置１４を装着するための装着部３を有している。前記装着部３は、ストロボ装置１４を水平支持できるように、その上面が平坦に形成されている。また、装着部３は、後述するストロボ装置１４の嵌合凸部２０が挿脱される切欠き４と、前記切欠き４に連通するように形成され、ストロボ装置１４の嵌合凸部２０が嵌合する嵌合凹部５とが形成されている。また、装着部３において、図３（ｃ）に示すように、前後の吸着盤９を結ぶ左右一対の直線の中心を結ぶ直線の中心位置に、ストロボ装置１４の水平方向の回動中心軸Ｃがある。また、基板２は、その前側に、小さな円弧状部２ａが前方に突出するように形成され、後側に、大きな円弧状部２ｂが後方に突出するように形成されている。
【００２５】
脚部６は、図３（ａ）〜（ｃ）に示すように、前方に向かって延出される前脚部７と、後方に向かって延出される後脚部８とを備えている。前脚部７は、後脚部８に比して若干長く形成されるとともに、内側に位置している。また、前脚部７および後脚部８を結ぶ外側縁部は、前側に向かうにしたがって内側に緩やかに湾曲している。
【００２６】
吸着盤９は、図３（ａ）〜（ｃ）に示すように、先端部に向かうにしたがって大きく開口する略円錐状の本体１０と、前記本体１０の内面に形成される吸着面１１と、本体１０の中心部に、本体１０の開口部１２とは反対側に突設される柱状の支持部１３とを備えている。前脚部７に配置される吸着盤９は、前脚部７の先端部に吸着盤９の本体１０の外周縁部（開口部１２の周縁部）が略位置するように配置されている。後脚部８に配置される吸着盤９は、後脚部８の中心と、吸着盤９の中心とが一致するように配置されている。
【００２７】
つぎに、ストロボ装置について図１（ａ），（ｂ）、図２、図４（ａ），（ｂ）を参照して説明する。前記ストロボ装置１４は、ストロボ本体部１５と、前記ストロボ本体部１５に回動可能に連結され、閃光放電管１７が収納されて外部へ発光する発光筺体部１６と、前記発光筺体部１６が水平方向および垂直方向に回動可能なバウンス機構１８と、前記バウンス機構１８に連結し、前記水平方向および垂直方向に発光筺体部１６を移動させる駆動手段１９とを備えている。なお、バウンス機構１８は、発光筺体部１６が水平方向および垂直方向に回動可能なもので説明したが、これに限らず、発光筺体部１６が水平方向又は垂直方向に回動可能なものでもよい。また、発光筺体部１６が、前記発光筺体部１６から発光されるストロボ光の光軸方向と同一方向の回動中心軸を中心にして回動可能なものでもよい。
【００２８】
ストロボ本体部１５は、縦長の角柱状に形成された筐体であり、その上面側に発光筺体部１６を回転可能に連結し、その下面側に、スタンド１の嵌合凹部５に嵌合するための嵌合凸部２０が形成されている。
【００２９】
発光筺体部１６は、横長の略角柱状に形成され、一方の面に閃光放電管１７が発光した光を照射する照射面２１を備えている。
【００３０】
そして、図１（ａ），（ｂ）に示すように、ストロボ本体部１５の上側前部（発光筺体部１６の水平方向の回動中心軸Ｃと前側の吸着盤９との間にストロボ装置１４の重心位置Ａがある。
【００３１】
そして、ストロボ装置１４が、ストロボ用スタンド１の後部に装着されると、ストロボ装置１４の重心位置Ａが、ストロボ用スタンド１に対してやや前寄りにある。そして、ストロボ装置１４の重心位置Ａの外側にある前後左右の４つの吸着盤９が支持台５０の接地面Ｂに密着することで、ストロボ装置１４は安定支持される。
【００３２】
バウンス機構１８は、図１、図４（ａ）、図４（ｂ）に示すように、ストロボ本体部１５１３と発光筺体部１６とを回転可能に連結する。具体的には、バウンス機構１８は、ストロボ本体部１５の幅方向に沿って設けられる横軸Ｘを中心に垂直方向Ｇに回転可能な垂直方向可変機構１８０と、ストロボ本体部１５の高さ方向に設けられる縦軸Ｙを中心に水平方向Ｆに回転可能な水平方向可変機構１８１とを備えている。
【００３３】
垂直方向可変機構１８０は、図４（ａ）に示すように、発光筺体部１６の垂直方向Ｇの角度を通常照射角度（発光筺体部１６が通常撮影位置にあるときの角度）と、ユーザによって設定され、通常照射角度とは異なる所望照射角度（発光筺体部１６がバウンス撮影位置にあるときの角度）との間を含むように設けられている。垂直方向可変機構１８０は、垂直方向１８０度の回転角度を有する。水平方向可変機構１８１は、図４（ｂ）に示すように、左右方向１８０度の回転角度を有する。
【００３４】
駆動手段１９は、図１（ｂ）および図４（ｂ）に示すように、垂直方向可変機構１８０を駆動する垂直方向駆動手段２２と、水平方向可変機構１８１を駆動する水平方向駆動手段２３とを備える。
【００３５】
垂直方向駆動手段２２は、図４（ａ）に示すように、垂直方向可変機構１８０を回転させる垂直方向駆動モータである。
【００３６】
水平方向駆動手段２３は、図４（ｂ）に示すように、水平方向可変機構１８１を回転させる水平方向駆動モータである。
【００３７】
次に、本実施形態に係るストロボ用スタンド１およびストロボ装置１４の使用態様について、図１（ａ），（ｂ）および図５（ａ），（ｂ）を参酌して説明する。まず、図１（ａ），（ｂ）に示すように、ストロボ装置１４の嵌合凸部２０がストロボ用スタンド１の嵌合凹部５に嵌合されて、ストロボ用スタンド１にストロボ装置１４が取り付けられる。そして、ストロボ用スタンド１が支持台５０の接地面Ｂにセットされる。具体的に説明すると、図５（ａ）に示すように、支持台５０の水平上面（以下、接地面Ｂという）に、吸着盤９の吸着面１１が接地面Ｂに対向するように、接地面Ｂにストロボ用スタンド１が載置される。つぎに、図５（ｂ）に示すように、ストロボ用スタンド１を介して接地面Ｂ側に向かって吸着盤９が押圧される。吸着盤９は押圧されるにしたがって、拡径しつつ内部の空気が外部へ押し出され、吸着面１１の内部の圧力が、外圧よりも負圧の状態になった時、吸着面１１と接地面Ｂとが密着する。これによって、吸着盤９は、前後左右に動くことはなくなる。すなわち、ストロボ装置１４は、接地面Ｂに確実に位置固定され、初期設置位置からずれることがない。したがって、良好な配光特性が得られる。
【００３８】
この状態において、発光筺体部１６は、バウンス機構１８によって水平方向および垂直方向に角度調整され、所望の照射角度にセットされる。
【００３９】
この際、発光筺体部１６が水平方向および垂直方向に回動しても、その遠心力が抑制され、接地面Ｂに対して、ストロボ光の移動が防止され、バウンス角度の位置精度は確保される。
【００４０】
よって、ストロボ装置１４は、撮影意図によりストロボ光の照射角度を所定の角度に正確に移動させてバウンスできるので、シャッターチャンスを逃がすことがない。
【００４１】
次に、本発明の第２実施形態に係るストロボ用スタンドについて、図６（ａ），（ｂ）〜図９（ａ）〜（ｄ）を参酌しつつ説明する。なお、同実施形態に係るストロボ用スタンドは、第１実施形態に係るストロボ用スタンドに防振シートを更に備えた実施形態である。よって、本実施形態に係るストロボ用スタンド１およびストロボ装置１４については、上記第１実施形態に係ると同様の構成であるので、その説明は省略する。
【００４２】
前記防振シート２４は、例えば、円環状を呈しており、発光筺体部１６が水平方向に回動する回動中心軸Ｃと吸着盤９の間にあって、発光筺体部１６の回動中心軸Ｃに対して周方向に配置されている。この防振シート２４は、吸着盤９が押圧されることによって接地面Ｂに当接し、さらなる押圧によって、その厚さが少なくなる方向に変形した後、吸着盤９の吸着面１１が接地面Ｂに密着する肉厚を有している。
【００４３】
この防振シート２４および吸着盤９の相乗効果によって、バウンスする際の揺動・振動があっても、ストロボ装置１４は設置位置からずれることはない。
【００４４】
次に、本実施形態に係るストロボ用スタンドの使用態様について、図９（ａ）〜（ｄ）を参酌して説明する。まず、図９（ａ）に示すように、支持台５０の水平上面（以下、接地面という）に、吸着盤９の吸着面１１および防振シート２４の下面（当接面）が、支持台５０の上面（以下、接地面Ｂという）に対向するように、接地面Ｂにストロボ用スタンド１が載置される。つぎに、図９（ｂ）に示すように、ストロボ用スタンド１を介して接地面Ｂ側に向かって吸着盤９が押圧されると、防振シート２４の下面が接地面Ｂに当接する。そして、図９（ｃ）に示すように、吸着盤９は押圧されるにしたがって、拡径しつつ内部の空気が外部へ押し出される一方、防振シート２４は、その厚さが少なくなる方向に変形し、その後、図９（ｄ）に示すように、吸着盤９の内部の圧力が、外圧よりも負圧の状態になり、吸着盤９の吸着面１１および防振シート２４と接地面Ｂとが密着する。すなわち、ストロボ装置１４は、接地面Ｂに確実に位置固定され、初期設置位置からずれることがない。したがって、良好な配光特性が得られる。
【００４５】
なお、本発明に係るストロボ用スタンドは、上記実施形態に限定されるものではなく、本発明の要旨を逸脱しない範囲内において種々変更を加え得ることは勿論である。
【００４６】
上記実施形態に係るストロボ用スタンド１は、円錐状の吸着盤９を使用するようにしたが、図１０に示すように、ストロボ用スタンド１の脚部６の長手方向に長軸が沿うように配置される略楕円形状の吸着盤９０を使用するようにしてもよい。
【００４７】
上記実施形態に係るストロボ用スタンドは、円環状の防振シート２４を使用するようにしたが、周方向に点在するように複数個配置するようにしてもよい。
【００４８】
また、上記実施形態に係るストロボ装置は、ストロボ用スタンド１に吸着盤９を使用するようにしたが、図１１（ａ）に示すように、ストロボ装置１４の発光筺体部１６の後部に、その後部の両側を跨るようにストラップ２５を取り付けるようにしてよい。また、図１１（ｂ）に示すように、ストロボ本体部１５の両側部に跨るようにバンド２６を取り付けるようにしてもよい。
【００４９】
また、上記実施形態に係るストロボ用スタンド１の吸着盤９は、略円錐形状のものを使用したが、吸着盤９の開口周縁部の外面に摘みを突設するようにしてもよい（図示せず）。この場合、接地面Ｂに密着した状態において、吸着盤９の摘みを摘んで引っ張り上げると、吸着盤９の一部が接地面Ｂから剥がれるようになり、吸着盤９の全体を容易に剥がすことができる。
【産業上の利用可能性】
【００５０】
本発明に係るストロボ用スタンドは、ストロボ本体部と、前記ストロボ本体部に連結され、閃光放電管が収納されて外部へ発光する発光筺体部と、前記発光筺体部が水平方向および垂直方向に回動可能なバウンス機構と、前記バウンス機構に連結され、前記水平方向および垂直方向に前記発光筺体部を移動させる駆動手段とを備えるストロボ装置を、接地面に設置するストロボ用スタンドであって、前記接地面に対して、内部に形成される吸着面が対向するように、前記接地面側に吸着盤を設けることによって、発光筺体部のバウンス角度を正確な位置に設定することができる。よって、シャッターチャンスを逃さないことが望まれる用途にも適用することができる。
【符号の説明】
【００５１】
１  ストロボ用スタンド
９、９０  吸着盤
１１  吸着面
１４  ストロボ装置
１５  ストロボ本体部
１６  発光筺体部
１７  閃光放電管
１８  バウンス機構
１９  駆動手段
２４  防振シート
Ａ  重心位置
Ｂ  接地面
Ｃ  回動中心軸
Ｆ  水平方向
Ｇ  垂直方向
【図１】
2013178355.tif 000003
【図２】
2013178355.tif 000004
【図３】
2013178355.tif 000005
【図４】
2013178355.tif 000006
【図５】
2013178355.tif 000007
【図６】
2013178355.tif 000008
【図７】
2013178355.tif 000009
【図８】
2013178355.tif 000010
【図９】
2013178355.tif 000011
【図１０】
2013178355.tif 000012
【図１１】
2013178355.tif 000013